(57)【要約】  互いに隣り合う複数のバッテリーセルから延びるパウチの延長部と電極リード間の接触を防止することができるバッテリーモジュールを提供する。本発明の実施例によるバッテリーモジュールは、順次積層された複数のバッテリーセルを含み、複数のバッテリーセルが、複数の電極板及び複数の電極板から引き出される複数の電極タブを含む電極組立体と、電極組立体を収容するパウチと、複数の電極タブと連結され、パウチの延長部から延び、引出口を通して外部に引き出される電極リードとをそれぞれ含み、互いに隣り合う複数のバッテリーセルのいずれか一つのバッテリーセルのパウチの延長部と他の一つのバッテリーセルの電極リードとの間の間隔を確保するように、延長部は、複数のバッテリーセルが積層される方向に対して所定の角度に折り曲げられる折曲部を備える。
2021501444.tif 000002
【特許請求の範囲】
【請求項１】
順次積層された複数のバッテリーセルを含むバッテリーモジュールであって、
複数のバッテリーセルが、
複数の電極板及び前記複数の電極板から引き出される複数の電極タブを含む電極組立体と、
前記電極組立体を収容するパウチと、
前記複数の電極タブと連結され、前記パウチの延長部から延び、引出口を通して外部に引き出される電極リードと
をそれぞれ含み、
互いに隣り合う複数のバッテリーセルのいずれか一つのバッテリーセルのパウチの延長部と他の一つのバッテリーセルの電極リードとの間の間隔を確保するように、前記延長部は、前記複数のバッテリーセルが積層される方向に対して所定の角度に折り曲げられる折曲部を備える、バッテリーモジュール。
【請求項２】
前記延長部は前記延長部の延長方向に垂直な第１方向に折り曲げられた後、前記第１方向の反対方向である第２方向に折り曲げられることにより、前記電極リードが前記引出口に向かう、請求項１に記載のバッテリーモジュール。
【請求項３】
前記バッテリーセルは、前記延長部から延びて前記電極リードを取り囲むように配置されるカバー部材をさらに含む、請求項１に記載のバッテリーモジュール。
【請求項４】
前記延長部が前記延長部の延長方向に垂直な第１方向に折り曲げられた後、前記カバー部材が前記第１方向の反対方向である第２方向に折り曲げられることにより、前記電極リードが前記引出口に向かう、請求項３に記載のバッテリーモジュール。
【請求項５】
前記複数のバッテリーセルの複数の前記延長部は、前記延長部の延長方向に所定の間隔で離隔している複数の位置でそれぞれ折り曲げられる、請求項１から４のいずれか一項に記載のバッテリーモジュール。
【請求項６】
前記複数のバッテリーセルの複数の前記延長部は、前記延長部の延長方向に所定の間隔で離隔している複数の位置で前記複数のバッテリーセルが積層された順に順次折り曲げられる、請求項１から５のいずれか一項に記載のバッテリーモジュール。
【請求項７】
前記複数の位置の中で互いに隣り合う二つの位置を第１位置及び第２位置とするとき、前記複数のバッテリーセルのいずれか一つの延長部は前記第１位置で前記延長部の延長方向に垂直な第１方向に折り曲げられた後、前記第１位置と前記第２位置との間で前記第１方向の反対方向である第２方向に折り曲げられることにより、前記電極リードが前記引出口に向かう、請求項５又は６に記載のバッテリーモジュール。
【請求項８】
前記バッテリーセルは、前記延長部から延び、前記電極リードを取り囲むように配置されるカバー部材をさらに含み、
前記複数の位置の中で互いに隣り合う二つの位置を第１位置及び第２位置とするとき、前記複数のバッテリーセルのいずれか一つの延長部が前記第１位置で前記延長部の延長方向に垂直な第１方向に折り曲げられた後、前記カバー部材が前記第１位置と前記第２位置との間で前記第１方向の反対方向である第２方向に折り曲げられることにより、前記電極リードが前記引出口に向かう、請求項５又は６に記載のバッテリーモジュール。
【請求項９】
前記延長部の前記折曲部は前記複数の電極タブと連結される前記電極リードの連結部と前記電極組立体との間に位置し、
前記電極リードの連結部と前記電極組立体との間には塑性変形可能な材料からなる連結部材が配置される、請求項１から８のいずれか一項に記載のバッテリーモジュール。
【請求項１０】
前記電極組立体の複数の電極タブと前記電極リードは前記連結部材を介して電気的に連結される、請求項９に記載のバッテリーモジュール。
【発明の詳細な説明】
【技術分野】
【０００１】
本出願は２０１８年５月２９日付の韓国特許出願第２０１８−００６１３６０号に基づく優先権の利益を主張し、該当韓国特許出願の文献に開示された全ての内容はこの明細書の一部として含まれる。
【０００２】
本発明はバッテリーモジュールに関するものである。
【背景技術】
【０００３】
最近、ノートブック型コンピュータ、スマートフォン、タブレット型コンピュータのような携帯用電子機器の需要が増大するにつれて、繰り返し充放電の可能な高性能二次電池に対する研究が活発に進んでいる。
【０００４】
また、携帯用電子機器のような小型装置だけではなく、自動車、ロボット、衛星のような中大型装置にも二次電池が広く用いられている。特に、化石燃料の枯渇及び環境汚染に対する関心が高くなるにつれてハイブリッド自動車と電気自動車に対する研究が活発に進んでいる。このようなハイブリッド自動車や電気自動車における最も核心的部品はモーターに電力を供給するバッテリーパックである。
【０００５】
ハイブリッド自動車や電気自動車の場合、バッテリーパックから駆動力を得ることができるから、内燃機関のみ使う自動車に比べて燃費が優れ、公害物質を排出しないか減少させることができるという利点を有する。
【０００６】
ハイブリッド自動車や電気自動車に使われるバッテリーパックは多数のバッテリーセルを含むバッテリーモジュールを含み、多数のバッテリーセルが互いに直列及び／又は並列で連結されることによってバッテリーモジュールの容量及び出力が増大する。
【０００７】
最近、パウチ型バッテリーセルを備えたバッテリーモジュールに対する関心が増えている。パウチ型バッテリーセルはアルミニウムラミネートシートなどを外装材として使うため、重量が小さくて製造コストが安く、変形が容易であるなどの利点がある。
【０００８】
図１〜図３に示したように、従来技術によるバッテリーモジュールは、パウチ型バッテリーセル１００を含む。バッテリーセル１００は、電極組立体１１０と、電極リード１２０と、パウチ１３０とを含む。
【０００９】
以下、説明の便宜のために、バッテリーセル１００の長手方向をＸ軸方向と定義し、バッテリーセル１００の幅方向をＹ軸方向と定義し、バッテリーセル１００の厚さ方向をＺ軸方向と定義する。
【００１０】
電極組立体１１０は、複数の電極板と複数の電極板との間に介在される複数の分離膜（セパレーター）を含む。複数の電極板は、一枚以上の陽極板及び一枚以上の陰極板を含む。電極組立体１１０の各電極板には電極タブ１４０が備えられる。電極タブ１４０は、電極板から外部に突出する形態を有するように構成される。
【００１１】
電極リード１２０の端部（連結部）は電極タブ１４０を介して電極組立体１１０と連結され、電極組立体１１０と連結される連結部の反対側端部はパウチ１３０の外部に露出される。電極リード１２０はバッテリーモジュールの電極端子としての役割を果たす。電極リード１２０は、陽極リード１２１及び陰極リード１２２を含む。電極リード１２１、１２２は電極タブ１４０を介して電極組立体１１０と電気的に連結される。電極リード１２１、１２２は電極タブ１４０の連結部に溶接されることによって電極タブ１４０と連結される。
【００１２】
複数の電極板、すなわち、陽極板及び陰極板はそれぞれ電極タブ１４０を備える。電極タブ１４０は、陽極リード１２１と連結される陽極タブ１４１と、陰極リード１２２と連結される陰極タブ１４２とを含む。一つの陽極リード１２１には複数の陽極タブ１４１が連結され、一つの陰極リード１２２には複数の陰極タブ１４２が連結される。
【００１３】
パウチ１３０はその内部に電極組立体１１０と電解液を収容する収容空間を有する。パウチ１３０は、第１パウチ部材１３１及び第２パウチ部材１３２を含む。第１パウチ部材１３１及び第２パウチ部材１３２のいずれか一つには凹んでいる収容溝１３３が形成される。
【００１４】
第１パウチ部材１３１及び第２パウチ部材１３２は互いに結合して収容空間を形成する。第１パウチ部材１３１及び第２パウチ部材１３２の縁部が熱融着などによってシーリングされることによって収容空間が密閉される。
【００１５】
パウチ１３０は、収容空間が形成される部分から延びる延長部１３５を備え、延長部１３５から電極リード１２０が外部に引き出される。
【００１６】
バッテリーモジュール内には複数のバッテリーセル１００がＺ軸方向に積層され、複数のバッテリーセル１００の一側には、複数のバッテリーセル１００から引き出される複数の電極リード１２０が外部に引き出される引出口１９０が備えられる。
【００１７】
複数のバッテリーセル１００から引き出される複数の電極リード１２０が引出口１９０を通して外部に引き出されるため、複数の電極リード１２０が引出口１９０に向かって折り曲げられる。しかし、複数の電極リード１２０が引出口１９０に向かって折り曲げられる場合、複数のバッテリーセル１００のいずれか一つのバッテリーセル１００から引き出された電極リード１２０が複数のバッテリーセル１００の他のバッテリーセル１００から延びる延長部１３５と接触することができる（図３のＡ部分参照）。電極リード１２０及び延長部１３５が互いに接触する場合、電極リード１２０及び延長部１３５の電気的特性による反応によって延長部１３５が腐食することができる。延長部１３５が腐食する場合、パウチ１３０の内部に収容された電解液が外部に漏出することができ、バッテリーセル１００の電気的性能及び安全性が低下するおそれがある。
【００１８】
このようなおそれを防止するために、従来技術では、電極リード１２０とパウチ１３０の延長部１３５との間の直接的な接触を防止するために、パウチ１３０の延長部１３５に絶縁テープ１３９が付着されている。
【００１９】
しかし、絶縁テープ１３９を付着する過程が追加的に要求されることにより、バッテリーモジュールを製造する工程が複雑になる問題がある。また、パウチ１３０に絶縁テープを付着するために、電極リード１２０又はパウチ１３０の位置又は姿勢を調節する過程が要求され、電極リード１２０又はパウチ１３０の位置又は姿勢を調節する過程で電極リード１２０又はパウチ１３０が損傷することができる問題がある。
【発明の概要】
【発明が解決しようとする課題】
【００２０】
本発明は前述した従来技術の問題点を解決するためのものであり、本発明の目的は互いに隣り合う複数のバッテリーセルから延びるパウチの延長部と電極リードとの間の接触を防止することができるバッテリーモジュールを提供することである。
【課題を解決するための手段】
【００２１】
前述した目的を達成するための本発明の実施例によるバッテリーモジュールは、順次積層された複数のバッテリーセルを含むバッテリーモジュールであって、複数のバッテリーセルが、複数の電極板及び複数の電極板から引き出される複数の電極タブを含む電極組立体と、電極組立体を収容するパウチと、複数の電極タブと連結され、パウチの延長部から延び、引出口を通して外部に引き出される電極リードとをそれぞれ含み、互いに隣り合う複数のバッテリーセルのいずれか一つのバッテリーセルのパウチの延長部と他の一つのバッテリーセルの電極リードとの間の間隔を確保するように、延長部は、複数のバッテリーセルが積層される方向に対して所定の角度に折り曲げられる折曲部を備える。
【００２２】
延長部は延長部の延長方向に垂直な第１方向に折り曲げられた後、第１方向の反対方向である第２方向に折り曲げられることにより、電極リードが引出口に向かうができる。
【００２３】
バッテリーセルは、延長部から延びて電極リードを取り囲むように配置されるカバー部材をさらに含むことができる。
【００２４】
延長部が延長部の延長方向に垂直な第１方向に折り曲げられた後、カバー部材が第１方向の反対方向である第２方向に折り曲げられることにより、電極リードが引出口に向かうことができる。
【００２５】
複数のバッテリーセルの複数の延長部は、延長部の延長方向に所定の間隔で離隔している複数の位置でそれぞれ折り曲げられることができる。
【００２６】
複数のバッテリーセルの複数の延長部は、延長部の延長方向に所定の間隔で離隔している複数の位置で複数のバッテリーセルが積層された順に順次折り曲げられることができる。
【００２７】
複数の位置の中で互いに隣り合う二つの位置を第１位置及び第２位置とするとき、複数のバッテリーセルのいずれか一つの延長部は第１位置で延長部の延長方向に垂直な第１方向に折り曲げられた後、第１位置と第２位置との間で第１方向の反対方向である第２方向に折り曲げられることにより、電極リードが引出口に向かうができる。
【００２８】
バッテリーセルは、延長部から延び、電極リードを取り囲むように配置されるカバー部材をさらに含み、複数の位置の中で互いに隣り合う二つの位置を第１位置及び第２位置とするとき、複数のバッテリーセルのいずれか一つの延長部が第１位置で延長部の延長方向に垂直な第１方向に折り曲げられた後、カバー部材が第１位置と第２位置との間で第１方向の反対方向である第２方向に折り曲げられることにより、電極リードが引出口に向かうことができる。
【００２９】
延長部の折曲部は複数の電極タブと連結される電極リードの連結部と電極組立体との間に位置することができ、電極リードの連結部と電極組立体との間には塑性変形可能な材料からなる連結部材が配置されることができる。
【００３０】
電極組立体の複数の電極タブと電極リードは連結部材を介して電気的に連結されることができる。
【発明の効果】
【００３１】
本発明の実施例によるバッテリーモジュールによれば、バッテリーセルのパウチの延長部が折り曲げられることにより、互いに隣り合う複数のバッテリーセルのパウチと電極リードが接触することを防止することができる。よって、パウチと電極リードとの間の接触のおそれがある部分に絶縁テープを付着する必要がないので、絶縁テープを付着する工程によって発生していた問題を解決することができる。また、互いに隣り合う複数のバッテリーセルのパウチと電極リードが接触することを防止することができるので、パウチと電極リードとの間の接触によって発生していたパウチの腐食、電解液の漏洩などを防止することができる。
【図面の簡単な説明】
【００３２】
【図１】従来技術によるバッテリーモジュールのバッテリーセルを概略的に示した斜視図である。
【図２】従来技術によるバッテリーモジュールのバッテリーセルを概略的に示した分解斜視図である。
【図３】従来技術によるバッテリーモジュールのバッテリーセルが積層された状態で電極リードがパウチの延長部に接触する状態を概略的に示した側面図である。
【図４】本発明の第１実施例によるバッテリーモジュールのバッテリーセルが積層された状態でバッテリーセルのパウチの延長部が折り曲げられた状態を概略的に示した側面図である。
【図５】本発明の第１実施例によるバッテリーモジュールのバッテリーセルを概略的に示した断面図である。
【図６】本発明の第２実施例によるバッテリーモジュールのバッテリーセルを概略的に示した斜視図である。
【図７】本発明の第２実施例によるバッテリーモジュールのバッテリーセルが積層された状態でバッテリーセルのパウチの延長部及びカバー部材が折り曲げられた状態を概略的に示した側面図である。
【図８】本発明の第２実施例によるバッテリーモジュールのバッテリーセルを概略的に示した断面図である。
【図９】本発明の第３実施例によるバッテリーモジュールのバッテリーセルを概略的に示した断面図である。
【発明を実施するための形態】
【００３３】
以下、添付図面を参照して本発明の実施例によるバッテリーモジュールについて説明する。
【００３４】
図４及び図５に示したように、本発明の第１実施例によるバッテリーモジュールは、パウチ型バッテリーセル２００を含む。バッテリーセル２００は、電極組立体２１０と、電極リード２２０と、パウチ２３０とを含むことができる。
【００３５】
以下、説明の便宜のために、バッテリーセル２００の長手方向をＸ軸方向と定義し、バッテリーセル２００の幅方向をＹ軸方向と定義し、バッテリーセル２００の厚さ方向をＺ軸方向と定義する。
【００３６】
電極組立体２１０は、複数の電極板と複数の電極板との間に介在される複数の分離膜（セパレーター）を含むことができる。複数の電極板は一枚以上の陽極板及び一枚以上の陰極板を含むことができる。電極組立体２１０の各電極板には、電極タブ２４０が備えられることができる。電極タブ２４０は、電極板から外部に突出する形態を有するように構成されることができる。
【００３７】
電極リード２２０の端部（連結部）は電極タブ２４０を介して電極組立体２１０と連結され、電極組立体２１０と連結される連結部の反対側端部はパウチ２３０の外部に露出されることができる。電極リード２２０は、バッテリーモジュールの電極端子としての役割を果たす。
【００３８】
パウチ２３０は、その内部に電極組立体２１０と電解液を収容する収容空間を有する。パウチ２３０は、第１パウチ部材２３１及び第２パウチ部材２３２を含むことができる。
【００３９】
第１パウチ部材２３１及び第２パウチ部材２３２は互いに結合して収容空間を形成することができる。第１パウチ部材２３１及び第２パウチ部材２３２の縁部が熱融着などによってシーリングされることによって収容空間が密閉されることができる。
【００４０】
パウチ２３０は、収容空間が形成される部分から延びる延長部２３５を備え、延長部２３５から電極リード２２０が外部に引き出される。
【００４１】
複数のバッテリーセル２００がＺ軸方向に積層され、複数のバッテリーセル２００の一側には、複数のバッテリーセル２００から引き出される複数の電極リード２２０が外部に引き出される引出口２９０が備えられる。
【００４２】
本発明の第１実施例によるバッテリーモジュールにおいては、複数のバッテリーセル２００の中で互いに隣り合う複数のバッテリーセル２００の電極リード２２０及びパウチ２３０の延長部２３５が互いに接触することを防止するために、パウチ２３０の延長部２３５が複数のバッテリーセル２００の積層される方向（Ｚ軸方向）に対して所定の角度に折り曲げられることができる。よって、延長部２３５は折曲部Ｂを備えることができる。
【００４３】
延長部２３５が複数のバッテリーセル２００の積層される方向（Ｚ軸方向）に対して所定の角度に折り曲げられることにより、互いに隣り合って配置される複数のバッテリーセル２００の延長部２３５と電極リード２２０との間に十分な間隔を確保することができ、延長部２３５と電極リード２２０が互いに接触することを防止することができる。
【００４４】
図４に示したように、延長部２３５は複数回折り曲げられることができる。すなわち、延長部２３５は複数の折曲部Ｂを備えることができる。延長部２３５が複数回折り曲げられる場合、一旦、延長部２３５が延長部２３５の延長方向（Ｘ軸方向）に垂直な第１方向（−Ｚ軸方向）に折り曲げられた後、第１方向の反対方向である第２方向（＋Ｚ軸方向）に折り曲げられて延長部２３５から引き出される電極リード２２０が引出口２９０に向かうことができる。
【００４５】
図５に示したように、延長部２３５が折り曲げられる形状に対応する形状を有する押圧面を有する一対の金型２８１、２８２が延長部２３５の両側を押圧することによって延長部２３５に複数の折曲部Ｂが同時に形成されることができる。
【００４６】
折曲部Ｂで延長部２３５及び電極リード２２０が互いに結合されることができる。例えば、延長部２３５の内部に電極リード２２０が挿入されることができる。電極リード２２０は銅のような金属からなることができる。よって、一対の金型２８１、２８２によって延長部２３５及び電極リード２２０が押圧された後には、電極リード２２０が塑性変形されることにより、延長部２３５及び電極リード２２０の折り曲げられた形状が維持されることができる。
【００４７】
図４に示したように、複数のバッテリーセル２００が延長部２３５の延長方向（Ｘ軸方向）に垂直な方向（Ｚ軸方向）に積層された状態で、複数のバッテリーセル２００の複数の延長部２３５は延長部２３５の延長方向（Ｘ軸方向）に所定の間隔で離隔している複数の位置Ｃ１、Ｃ２、Ｃ３で折り曲げられることができる。すなわち、複数の延長部２３５のそれぞれの折曲部Ｂは延長部２３５の延長方向（Ｘ軸方向）に所定の間隔で離隔した複数の位置Ｃ１、Ｃ２、Ｃ３にそれぞれ位置することができる。
【００４８】
ここで、複数の延長部２３５の少なくとも一部は複数の位置Ｃ１、Ｃ２、Ｃ３で互いに同じ方向に折り曲げられるか互いに異なる方向に折り曲げられることができる。
【００４９】
一方、複数のバッテリーセル２００の複数の延長部２３５は延長部２３５の延長方向（Ｘ軸方向）に複数のバッテリーセル２００の積層された順に順次折り曲げられることができる。すなわち、順次積層された複数のバッテリーセル２００の複数の延長部２３５のそれぞれの折曲部Ｂは延長部２３５の延長方向（Ｘ軸方向）に所定の間隔で離隔して順次位置する複数の位置Ｃ１、Ｃ２、Ｃ３にそれぞれ順次位置することができる。
【００５０】
また、延長部２３５の延長方向（Ｘ軸方向）に所定の間隔で離隔して順次位置する複数の位置Ｃ１、Ｃ２、Ｃ３をそれぞれ第１位置Ｃ１、第２位置Ｃ２、第３位置Ｃ３とするとき、複数のバッテリーセル２００のいずれか一つの延長部２３５は第１位置Ｃ１で第１方向に折り曲げられた後、第１位置Ｃ１と第２位置Ｃ２との間で第１方向の反対方向である第２方向に折り曲げられ、電極リード２２０が引出口２９０に向かうことができる。
【００５１】
前述したような本発明の第１実施例によるバッテリーモジュールによれば、バッテリーセル２００のパウチ２３０の延長部２３５が複数回折り曲げられることにより、互いに隣り合う複数のバッテリーセル２００のパウチ２３０と電極リード２２０が接触することを防止することができる。よって、パウチ２３０と電極リード２２０との間の接触のおそれがある部分に絶縁テープを付着する必要がないので、絶縁テープを付着する過程によって発生していた問題を解決することができる。また、互いに隣り合う複数のバッテリーセル２００のパウチ２３０と電極リード２２０が接触することを防止することができるので、パウチ２３０及び電極リード２２０の接触によって発生していたパウチの腐食、電解液漏洩などを解決することができる。
【００５２】
以下、図６〜図８を参照して、本発明の第２実施例によるバッテリーモジュールについて説明する。
【００５３】
図６〜図８に示したように、本発明の第２実施例によるバッテリーモジュールは、パウチ型バッテリーセル３００を含む。バッテリーセル３００は、電極組立体３１０と、電極リード３２０と、パウチ３３０と、パウチ３３０から延びて電極リード３２０の一部を覆うカバー部材３５０とを含むことができる。
【００５４】
カバー部材３５０は電極リード３２０を取り囲むように配置され、電極リード３２０を保護する役割を果たすことができる。カバー部材３５０は、電極リード３２０が隣接した電極リード３２０又は延長部３３５に接触しても電極リード３２０又は延長部３３５と電気化学的反応を引き起こさない素材からなることができる。例えば、カバー部材３５０は絶縁性材料からなることができる。例えば、カバー部材３５０はフィルムの形態に構成されることができる。
【００５５】
図６及び図７に示したように、パウチ３３０の延長部３３５及びカバー部材３５０がそれぞれ一回ずつ折り曲げられることができる。すなわち、延長部３３５は一回折り曲げられることができる。すなわち、延長部３３５は一つの折曲部Ｂ１を備えることができる。そして、カバー部材３５０も一つの折曲部Ｂ２を備えることができる。このような場合、延長部３３５は延長部３３５の延長方向（Ｘ軸方向）に垂直な第１方向（−Ｚ軸方向）に折り曲げられた後、延長部３３５から延びるカバー部材３５０が、電極リード３２０が引出口３９０に向かうように、第２方向（＋Ｚ軸方向）に折り曲げられることができる。例えば、延長部３３５を複数回折り曲げにくい場合、カバー部材３５０を折り曲げることで、電極リード３２０が隣接した延長部３３５に接触することを防止することができる。
【００５６】
図８に示したように、延長部３３５及びカバー部材３５０が折り曲げられる形状に対応する形状を有する押圧面を有する一対の金型３８１、３８２が延長部３３５及びカバー部材３５０を押圧することにより、延長部３３５及びカバー部材３５０に折曲部Ｂ１、Ｂ２がそれぞれ同時に形成されることができる。
【００５７】
折曲部Ｂ１、Ｂ２で延長部３３５及びカバー部材３５０が電極リード３２０と結合されることができる。例えば、延長部３３５及びカバー部材３５０の内部に電極リード３２０が挿入されることができる。電極リード３２０は銅のような金属からなることができ、よって、一対の金型３８１、３８２によって延長部３３５、カバー部材３５０及び電極リード３２０が押圧された後には、電極リード３２０が塑性変形されることにより、延長部３３５、カバー部材３５０及び電極リード３２０の折り曲げられた形状が維持されることができる。
【００５８】
図７に示したように、複数のバッテリーセル３００が延長部３３５の延長方向（Ｘ軸方向）に垂直な方向（Ｚ軸方向）に積層された状態で、複数のバッテリーセル３００の複数の延長部３３５は延長部３３５の延長方向（Ｘ軸方向）に所定の間隔で離隔している複数の位置Ｃ１、Ｃ２、Ｃ３で折り曲げられることができる。すなわち、複数の延長部３３５のそれぞれの折曲部Ｂ１は延長部３３５の延長方向（Ｘ軸方向）に所定の間隔で離隔した複数の位置Ｃ１、Ｃ２、Ｃ３にそれぞれ位置することができる。
【００５９】
ここで、複数の延長部３３５の少なくとも一部は複数の位置Ｃ１、Ｃ２、Ｃ３で互いに同じ方向に折り曲げられるか互いに異なる方向に折り曲げられることができる。
【００６０】
一方、複数のバッテリーセル３００の複数の延長部３３５は延長部３３５の延長方向（Ｘ軸方向）に複数のバッテリーセル３００が積層された順に順次折り曲げられることができる。すなわち、順次積層された複数のバッテリーセル３００の複数の延長部３３５のそれぞれの折曲部Ｂ１は延長部３３５の延長方向（Ｘ軸方向）に所定の間隔で離隔して順次位置する複数の位置Ｃ１、Ｃ２、Ｃ３にそれぞれ順次位置することができる。
【００６１】
また、延長部３３５の延長方向（Ｘ軸方向）に所定の間隔で離隔して順次位置する複数の位置Ｃ１、Ｃ２、Ｃ３をそれぞれ第１位置Ｃ１、第２位置Ｃ２、第３位置Ｃ３とするとき、複数のバッテリーセル３００のいずれか一つの延長部３３５が第１位置Ｃ１で第１方向に折り曲げられた後、延長部３３５から延びるカバー部材３５０が第１位置Ｃ１と第２位置Ｃ２との間で第１方向の反対方向である第２方向に折り曲げられ、電極リード３２０が引出口３９０に向かうことができる。
【００６２】
前述したような本発明の第２実施例によるバッテリーモジュールによれば、バッテリーセル３００のパウチ３３０の延長部３３５及びカバー部材３５０が折り曲げられることにより、互いに隣り合う複数のバッテリーセル３００のパウチ３３０と電極リード３２０が接触することを防止することができる。よって、パウチ３３０と電極リード３２０との間の接触のおそれがある部分に絶縁テープを付着する必要がないので、絶縁テープを付着する過程によって発生していた問題を解決することができる。また、互いに隣り合う複数のバッテリーセル３００のパウチ３３０と電極リード３２０が接触することを防止することができるので、パウチ３３０と電極リード３２０との間の接触によって発生していたパウチの腐食、電解液漏洩などを解決することができる。
【００６３】
以下、図９を参照して、本発明の第３実施例によるバッテリーモジュールについて説明する。
【００６４】
図９に示したように、本発明の第３実施例によるバッテリーモジュールは、パウチ型バッテリーセル４００を含む。バッテリーセル４００は、電極組立体４１０と、電極リード４２０と、パウチ４３０と、パウチ４３０の延長部４３５の内部に配置され、塑性変形可能な連結部材４６０とを含むことができる。
【００６５】
電極リード４２０は延長部４３５の全体にあたって延びず、延長部４３５の端部の一部にのみ連結／結合されることができる。このような場合、折曲部Ｂは、電極組立体４１０と電極リード４２０の端部に備えられた連結部との間に位置することができる。すなわち、折曲部Ｂが位置する延長部４３５の内部には電極リード４２０が配置されず、連結部材４６０が配置されることができる。
【００６６】
図示されてはいないが、電極組立体４１０から引き出された電極タブ４４０は延長部４３５を介して延長された後、電極リード４２０の端部に備えられた連結部に連結されることができる。延長部４３５の折曲部Ｂは電極リード４２０の連結部と電極組立体４１０との間に位置することができる。このような場合、連結部材４６０は、電極タブ４４０及び／又は電極リード４２０との電気的連結なしに、延長部４３５の形状を維持する役割のみ果たすことができる。ここで、連結部材４６０は不導体からなることができる。
【００６７】
他の例として、図９に示したように、連結部材４６０は導体からなることができ、電極組立体４１０から引き出された電極タブ４４０は連結部材４６０を介して電極リード４２０の連結部に電気的に連結されることができる。これにより、延長部４３５の折曲部Ｂは電極リード４２０の連結部と電極組立体４１０との間に位置することができる。延長部４３５の折曲部Ｂは連結部材４６０が配置された部分に位置することができる。
【００６８】
図９に示したように、延長部４３５が折り曲げられる形状に対応する形状を有する押圧面を有する一対の金型４８１、４８２が延長部４３５を押圧することにより、延長部４３５に複数の折曲部Ｂが同時に形成されることができる。
【００６９】
折曲部Ｂには塑性変形可能な材料からなる連結部材４６０が配置されるので、一対の金型４８１、４８２によって延長部４３５及び連結部材４６０が押圧された後には、連結部材４６０が塑性変形されることにより、延長部４３５及び連結部材４６０の折り曲げられた形状が維持されることができる。
【００７０】
前述したような本発明の第３実施例によるバッテリーモジュールによれば、パウチ４３０の延長部４３５の内部に塑性変形可能な材料からなる連結部材４６０が備えられるので、延長部４３５又は電極リード４２０が塑性変形のできない材料からなる場合にも、延長部４３５の折り曲げられた形状が維持されることができる。例えば、電極リード４２０が可撓性導体からなる場合にも、延長部４３５の折り曲げられた形状が連結部材４６０によって維持されることができる。
【００７１】
このような連結部材４６０が備えられる構成は本発明の第２実施例にも適用されることができる。このような構成によれば、延長部３３５及びカバー部材３５０の折り曲げられた形状は電極リード３２０ではなくて塑性変形可能な連結部材によって維持されることができる。
【００７２】
本発明の好適な実施例を例示的に説明したが、本発明の範囲はこのような特定の実施例に限定されず、特許請求範囲に記載した範疇内で適宜変更可能である。
【符号の説明】
【００７３】
２００、３００、４００    バッテリーセル
２１０、３１０、４１０    電極組立体
２２０、３２０、４２０    電極リード
２３０、３３０、４３０    パウチ
２３１    第１パウチ部材
２３２    第２パウチ部材
２３５、３３５、４３５    延長部
２４０、４４０    電極タブ
２８１、２８２、３８１、３８２、４８１、４８２    金型
２９０、３９０    引出口
３５０    カバー部材
４６０    連結部材
Ｂ、Ｂ１、Ｂ２    折曲部
【図１】
2021501444.tif 000003
【図２】
2021501444.tif 000004
【図３】
2021501444.tif 000005
【図４】
2021501444.tif 000006
【図５】
2021501444.tif 000007
【図６】
2021501444.tif 000008
【図７】
2021501444.tif 000009
【図８】
2021501444.tif 000010
【図９】
2021501444.tif 000011
【国際調査報告】
2021501444.tif 000012
2021501444.tif 000013
2021501444.tif 000014
2021501444.tif 000015